(57)【要約】【課題】セル切替に伴うスループット低下を防止できる移動無線端末装置を提供する。【解決手段】制御部１００は、Inter Node-Bハンドオーバを実行する場合には、TargetセルＣｔのセルＩＤと、SourceセルＣｓとの接続で用いていたスクランブリングコード（ＳＣＲ）と周波数（ＦＲＥＱ）を対応付けてセルリスト記憶エリア３０ａに記憶しておくと共に、新たなノードへの接続時間を計測する。そして、制御部１００は、Event１Dが発生した場合に、データの受信中で、Target Node-Bが以前に接続していたノードであり、かつSource Node-Bへの接続時間ｔが閾値Ｔｓ以下であると、データの損失の発生の可能性やInter Node-Bハンドオーバの可能性が高いものと見なして、Time to Triggerの値をＮ倍にして、ハンドオーバの必要性の判定期間を長期化するようにした。【選択図】      図１
2008042764.tif 000002
【特許請求の範囲】
【請求項１】
ネットワークに収容される基地局と無線通信する移動無線端末装置において、
接続している第１基地局と、それ以外の第２基地局からそれぞれ受信した無線信号の受信レベルを検出する検出手段と、
この検出手段が検出した前記第１基地局と前記第２基地局の各受信レベルが予め設定した判定条件を、予め設定した判定時間の間、満たす関係にあるか否かにより、ハンドオーバの必要性を判定する第１判定手段と、
この第１判定手段の判定結果に応じて、前記第１の基地局から前記第２の基地局にハンドオーバを行うハンドオーバ手段と、
前記基地局を通じたデータ通信中か否かを判定する第２判定手段と、
前記第２判定手段がデータ通信中と判定した場合には、前記第１判定手段が判定に用いる判定時間を長くする条件制御手段とを具備することを特徴とする移動無線端末装置。
【請求項２】
ネットワークに収容される基地局と無線通信する移動無線端末装置において、
接続している第１基地局と、それ以外の第２基地局からそれぞれ受信した無線信号の受信レベルを検出する検出手段と、
この検出手段が検出した前記第１基地局と前記第２基地局の各受信レベルが予め設定した判定条件を、予め設定した判定時間の間、満たす関係にあるか否かにより、ハンドオーバの必要性を判定する第１判定手段と、
この第１判定手段の判定結果に応じて、前記第１の基地局から前記第２の基地局にハンドオーバを行うハンドオーバ手段と、
前記第２基地局が過去に接続した基地局か否かを判定する第２判定手段と、
前記第２判定手段が過去に接続した基地局と判定した場合には、前記第１判定手段が判定に用いる判定時間を長くする条件制御手段とを具備することを特徴とする移動無線端末装置。
【請求項３】
ネットワークに収容される基地局と無線通信する移動無線端末装置において、
接続している第１基地局と、それ以外の第２基地局からそれぞれ受信した無線信号の受信レベルを検出する検出手段と、
この検出手段が検出した前記第１基地局と前記第２基地局の各受信レベルが予め設定した判定条件を、予め設定した判定時間の間、満たす関係にあるか否かにより、ハンドオーバの必要性を判定する第１判定手段と、
この第１判定手段の判定結果に応じて、前記第１の基地局から前記第２の基地局にハンドオーバを行うハンドオーバ手段と、
前記第１基地局に接続している時間を測定する測定手段と、
この測定手段が測定した時間が予め設定した時間以下か否かを判定する第２判定手段と、
前記第２判定手段が予め設定した時間以下と判定した場合には、前記第１判定手段が判定に用いる判定時間を長くする条件制御手段とを具備することを特徴とする移動無線端末装置。
【請求項４】
ネットワークに収容される基地局と無線通信する移動無線端末装置において、
接続している第１基地局と、それ以外の第２基地局からそれぞれ受信した無線信号の受信レベルを検出する検出手段と、
この検出手段が検出した前記第１基地局と前記第２基地局の各受信レベルが予め設定した判定条件を満たす関係にあるか否かにより、ハンドオーバの必要性を判定する第１判定手段と、
この第１判定手段の判定結果に応じて、前記第１の基地局から前記第２の基地局にハンドオーバを行うハンドオーバ手段と、
前記基地局を通じたデータ通信中か否かを判定する第２判定手段と、
前記第２判定手段がデータ通信中と判定した場合には、前記第１判定手段が判定に用いる判定条件を、ハンドオーバの必要性がないと判定しやすくなるように可変する条件制御手段とを具備することを特徴とする移動無線端末装置。
【請求項５】
ネットワークに収容される基地局と無線通信する移動無線端末装置において、
接続している第１基地局と、それ以外の第２基地局からそれぞれ受信した無線信号の受信レベルを検出する検出手段と、
この検出手段が検出した前記第１基地局と前記第２基地局の各受信レベルが予め設定した判定条件を満たす関係にあるか否かにより、ハンドオーバの必要性を判定する第１判定手段と、
この第１判定手段の判定結果に応じて、前記第１の基地局から前記第２の基地局にハンドオーバを行うハンドオーバ手段と、
前記第２基地局が過去に接続した基地局か否かを判定する第２判定手段と、
前記第２判定手段が過去に接続した基地局と判定した場合には、前記第１判定手段が判定に用いる判定条件を、ハンドオーバの必要性がないと判定しやすくなるように可変する条件制御手段とを具備することを特徴とする移動無線端末装置。
【請求項６】
ネットワークに収容される基地局と無線通信する移動無線端末装置において、
接続している第１基地局と、それ以外の第２基地局からそれぞれ受信した無線信号の受信レベルを検出する検出手段と、
この検出手段が検出した前記第１基地局と前記第２基地局の各受信レベルが予め設定した判定条件を満たす関係にあるか否かにより、ハンドオーバの必要性を判定する第１判定手段と、
この第１判定手段の判定結果に応じて、前記第１の基地局から前記第２の基地局にハンドオーバを行うハンドオーバ手段と、
前記第１基地局に接続している時間を測定する測定手段と、
この測定手段が測定した時間が予め設定した時間以下か否かを判定する第２判定手段と、
前記第２判定手段が予め設定した時間以下と判定した場合には、前記第１判定手段が判定に用いる判定条件を、ハンドオーバの必要性がないと判定しやすくなるように可変する条件制御手段とを具備することを特徴とする移動無線端末装置。
【発明の詳細な説明】
【技術分野】
【０００１】
この発明は、例えば自動車・携帯電話システムや無線LANなどの無線通信システムに関わり、特にスペクトル拡散通信を使用してＣＤＭＡ（Code Division Multiple Access）通信を行う無線通信システムに関する。
【背景技術】
【０００２】
近年、無線移動通信システムに適用する通信方式の一つとして、干渉や妨害に強いスペクトル拡散通信方式が注目されている。このスペクトル拡散通信方式を利用したＷCDMA方式では、通信帯域が従来の方式に比べ広帯域なため、画像情報、動画などを送受信することに優れている。また、高速パケット伝送を目的としたＨＳＤＰＡ（High Speed Data Packet Access）方式が３ＧＰＰ（3rd Generation Partnership Project） Rel.5で規格化され（例えば、非特許文献１参照）、2006年から商用サービスが開始されることになっている。
【０００３】
このＨＳＤＰＡ方式では、下り回線において最大14.4Mbpsのスループットが得られるといわれているが、これまでのパケット方式であるRelease 99に比べて下り回線の品質に応じてスループットに大きな影響を受ける方式であるため、受信状態が良好でない場合にはスループットがあまり出ないようになっている。
【０００４】
またセル境界において発生するハンドオーバ処理に関しては、従来は、ソフトハンドオーバで回線品質を保ちながら、誤りが発生した場合にRLC層での再送処理（数100msオーダ）を行っていたが、ＨＳＤＰＡ方式では、システムリソース有効利用の観点からハードハンドオーバしか存在せず、また再送制御はMAC層で高速（数10msオーダ）に行う。
【０００５】
ＨＳＤＰＡ方式のセル切り換えは、切り替え前のセルと切り替え後のセルの関係によっては、Intra Node-BとInter Node-Bに大別されるが、Inter Node-Bのセル切り換えでは、通信中パケットは破棄されてしまうため、低速なRLC層での再送が発生してしまいスループットが上がらないという問題があった。
【非特許文献１】3GPP TS 25.308 V5.7.0 (2004-12) 3rd Generation Partnership Project; Technical Specification Group Radio Access Network; High Speed Downlink Packet Access (HSDPA); Overall description; Stage 2(Release 5) 3GPP出版、2004年12月 v5.7.0、p.21-25。
【発明の開示】
【発明が解決しようとする課題】
【０００６】
ＨＳＤＰＡ方式を採用する従来の移動無線端末装置では、セルが切り替わる際の通信中パケットは破棄されてしまうことがあり、これによって、低速なRLC層での再送が発生してしまいスループットが上がらないという問題があった。  
この発明は上記の問題を解決すべくなされたもので、セルの切り替えに伴うスループット低下を防止することが可能な移動無線端末装置を提供することを目的とする。
【課題を解決するための手段】
【０００７】
上記の目的を達成するために、この発明は、ネットワークに収容される基地局と無線通信する移動無線端末装置において、接続している第１基地局と、それ以外の第２基地局からそれぞれ受信した無線信号の受信レベルを検出する検出手段と、この検出手段が検出した第１基地局と第２基地局の各受信レベルが予め設定した判定条件を、予め設定した判定時間の間、満たす関係にあるか否かにより、ハンドオーバの必要性を判定する第１判定手段と、この第１判定手段の判定結果に応じて、第１の基地局から第２の基地局にハンドオーバを行うハンドオーバ手段と、基地局を通じたデータ通信中か否かを判定する第２判定手段と、第２判定手段がデータ通信中と判定した場合には、第１判定手段が判定に用いる判定時間を長くする条件制御手段とを具備して構成するようにした。
【発明の効果】
【０００８】
以上述べたように、この発明では、接続している第１基地局と、それ以外の第２基地局からそれぞれ受信した無線信号の受信レベルが予め設定した判定条件を、予め設定した判定時間の間、満たす関係にあるか否かにより、ハンドオーバの必要性を判定するものであって、データ通信中と判定した場合には、上記判定時間を長くして、ハンドオーバの必要性がないと判定しやすくなるようにしている。
【０００９】
したがって、この発明によれば、データ通信中の場合には、ハンドオーバが行われにくくなるので、セルの切り替えに伴うスループット低下を防止することが可能な移動無線端末装置を提供できる。
【発明を実施するための最良の形態】
【００１０】
以下、図面を参照して、この発明の一実施形態について説明する。  
HSDPAにおけるハンドオーバは、Event 1d（Best Cell Change）をトリガにするハードハンドオーバである。このハンドオーバは、移動局がハンドオーバ前に接続していたSourceセルＣｓと、移動局がハンドオーバしようとするTargetセルＣｔが、同じNode-Bに属するか否かによりIntra Node-Bハンドオーバと、Inter Node-Bハンドオーバに分類される。なお、以下の説明では、SourceセルＣｓを形成する基地局ＢＳ（ノード）をSource Node-Bと称し、TargetセルＣｔを形成する基地局ＢＳ（ノード）をTarget Node-Bと称する。
【００１１】
Intra Node-Bハンドオーバを図１に示す。この図に示すように、Intra Node-Bハンドオーバでは、例えば同じ基地局が形成するセル間のハンドオーバであるため、SourceセルＣｓとTargetセルＣｔの同期が取れている。このため、Node-BのMAC-hsバッファ内のパケットを引き継ぐことができる。
【００１２】
Inter Node-Bハンドオーバを図２に示す。この図に示すように、Inter Node-Bハンドオーバでは、例えば異なる基地局がそれぞれ形成するセル間のハンドオーバであるため、SourceセルＣｓとTargetセルＣｔの同期が取れていない。このため、Node-BのMAC-hsバッファ内のパケットを引き継ぐことができないので、ハンドオーバ時にはSource基地局から移動局に対して、Transport Channel Reconfigurationメッセージを送って、MAC-hsデータをリセットさせる指示を行う。この指示に伴って、以下の（１）〜（３）の不具合が生じる。
【００１３】
（１）移動局は、自局のMAC-hsバッファ内の再送用データを破棄しなければならない。（２）基地局は、自局のスケジューリング用にバッファリングしておいたMAC-hsデータを破棄しなければならない。  
（３）RNC Reallocationに時間がかかり(Action Time)、基地局と移動局の間で、しばらくデータ送受信されない。
【００１４】
したがって、セル境界に移動局が位置することで、Inter Node-Bハンドオーバが頻繁に発生すると、バッファの破棄に伴うRLC再送が急増してしまい、スループットの低下につながってしまう。このような理由からHSDPA使用時は、スループットの観点でIntra Node-B間ハンドオーバとInter Node-B間ハンドオーバの発生頻度が異なるよう区別するべきであるが現状はそうはなっていない。
【００１５】
以下に、Event１Dのハンドオーバの必要性を判定するための評価式（ｅ）を示す。この評価式において、Ｍは、ＣＰＩＣＨ（Common Pilot Indicate Channel）の受信レベルを示す。また、ＣＩＯ（Cell Individual Offset）は、セル毎に設けられたオフセットパラメータであって、その値が大きいほど、対応するセルから他のセルへハンドオーバしにくくなるものである。Ｈ１ｄは、セル境界付近などで生じうるハンドオーバの繰り返しによるばたつきを防止するためのヒステリシス値である。なお、添え字「S」は、SourceセルＣｓを示し、添え字「T」は、TargetセルＣｔを示す。
【００１６】
【数１】
2008042764.tif 000003
【００１７】
このパラメータCIOでオフセットをつけようとすると、他のEvent1a,1b,1cにまで影響が及んでしまうが、Event1a,1b,1cは、Release 99用のソフトハンドオーバであって、Intra Node-Bハンドオーバと、Inter Node-Bハンドオーバとを区別する必要がないため、CIOは通常０がセットされている。
【００１８】
そこで本発明では、Intra Node-BとInter Node-Bを区別する手段として、セル固有のオフセットに基づいて判断するのではなく、基地局からMac-hsのリセット要求があったか否かに基づいて、Intra Node-BとInter Node-Bを区別する。そして、ハンドオーバの繰り返しによるばたつきの虞がある場合に、Event1d条件が満たされてから実際にCell Change開始処理を行うまでの時間（Time to Trigger）の時間を長期化させて、ハンドオーバの必要性の判定を行うようにした。以下、具体的な移動局の構成と共に詳述する。
【００１９】
以下、図面を参照して、この発明の一実施形態について説明する。  
図３は、この発明の一実施形態に係わる移動無線端末装置の構成を示すものである。移動無線端末装置は、移動通信網に収容される基地局ＢＳとＣＤＭＡ（Code Division Multiple Access）方式による無線通信を行うものであって、送受信部１０、信号処理部２０、記憶部３０および制御部１００を備えている。
【００２０】
送受信部１０は、ＲＦ受信部１１、ベースバンド復調部１２、ベースバンド変調部１３およびＲＦ送信部１４を備える。ＲＦ受信部１１は、基地局ＢＳから送信される無線信号がアンテナを通じて入力され、制御部１００より指定される周波数の無線信号をベースバンド信号にダウンコンバートする。
【００２１】
ベースバンド復調部１２は、制御部１００の指示に従って、受信に適したセルとのパスを検出し、この検出したパスをＲＡＫＥ受信するものであって、サーチ検出部１２ａとＲＡＫＥ受信部１２ｂを備える。サーチ検出部１２ａは、制御部１００の指示に従って、受信に適したセルとのパスを検出する。またサーチ検出部１２ａは、制御部１００から指定されたチャネルの受信レベルを検出し、これを制御部１００に通知する。
【００２２】
ＲＡＫＥ受信部１２ｂは、サーチ検出部１２ａが検出したパスをＲＡＫＥ受信するものである。復号部２１は、ＲＡＫＥ受信部１２ｂのＲＡＫＥ受信によって得た信号を復号して、受信データを得る。この受信データのうち、基地局ＢＳから通信制御のために送信されたメッセージは、制御部１００に出力される。
【００２３】
一方、送信データは、信号処理部２０の符号化部２２にて生成される。また基地局ＢＳに宛てた通信制御に関わるメッセージは、制御部１００から入力され、符号化部２２に出力される。ベースバンド変調部１３は、上記送信データを用いて搬送波信号を変調し、この変調されたベースバンド信号をＲＦ送信部１４に出力する。ＲＦ送信部１４は、変調されたベースバンド信号に拡散処理を施して、無線周波数にアップコンバートし、アンテナより空間に放射する。
【００２４】
記憶部３０は、当該移動無線端末装置の制御プログラムや制御データ、基地局ＢＳとの通信制御に関わるメッセージ、前述した評価式（ｅ）などを記憶するものであって、この他に、セルリスト記憶エリア３０ａを備える。このセルリスト記憶エリア３０ａは、接続したセルの識別情報であるセルＩＤに対応付けて、そのセルとの通信に用いたスクランブリングコードと周波数の各識別情報を対応付けたセルデータＣ１〜Ｃｎを記憶するためのエリアである。その一例を図４に示す。
【００２５】
なお、セルデータの記憶数には、制限が設けてあり、所定数に達すると制御部１００によって古い順に消去される。また当該移動無線端末装置の電源が切られた場合には、セルリスト記憶エリア３０ａに記憶された情報は消去される。
【００２６】
制御部１００は、当該移動無線端末装置の各部を統括して制御するものであって、記憶部３０が記憶する制御プログラムや制御データなどにしたがって、基地局ＢＳとの間でＣＤＭＡ方式による無線通信を実現させるものである。また、このために制御部１００は、通信品質の良好な基地局ＢＳを通じた通信を行うために、Intra Node-BまたはInter Node-Bの基地局にハンドオーバする制御を行う。また制御部１００は、タイマ機能を備えており、例えば、Source Node-Bに継続して接続している時間ｔなどを計測する。
【００２７】
次に、上記構成の移動無線端末装置の動作について説明する。ここでは特に、着信待ち受け中および通信中に実施される、セル選択に関わる処理について説明する。また以下の説明では、説明を簡明にするために、CIOには０がセットされている場合を例に説明する。
【００２８】
制御部１００は、Source Node-Bおよびその近隣の基地局ＢＳからそれぞれ送信されるＣＰＩＣＨ（Common Pilot Indicate Channel）の信号を受信して、その受信レベルＭを検出するように各部を制御し、この検出した受信レベルおよびシステム情報に基づいて、上記評価式（ｅ）を満たすTargetセルＣｔの検出、すなわちEvent１Dの発生の監視を行う。
【００２９】
そして、制御部１００は、Event１Dの発生を検出すると、上記TargetセルＣｔが属するTarget Node-Bについて、図５に示すフローチャートにしたがった制御を実行する。このフローチャートは、制御部１００が、記憶部３０に記憶される制御プログラムや制御データなどにしたがって実施する。
【００３０】
まず、ステップ５ａにおいて制御部１００は、送受信部１０および信号処理部２０の動作状況に基づいて、Source Node-Bを通じてデータを受信している最中か否かを判定する。ここで、例えばデータのダウンロード中や、ＶｏＩＰ（Voice over Internet Protocol）などによる通信中で、データ受信中の場合には、ステップ５ｂに移行し、着信待ち受け時など、データ受信中でない場合には、ステップ５ｅに移行する。
【００３１】
ステップ５ｂにおいて制御部１００は、Source Node-Bが形成するセルのうち、現在属しているSourceセルＣｓのセルＩＤが対応付けられたセルデータＣｓをセルリスト記憶エリア３０ａから読み出し、この読み出したセルデータＣｓに基づいて、Target Node-Bが以前に接続していたノード（基地局）か否かを判定する。この判定では、セルデータＣｓに含まれるスクランブリングコード（ＳＣＲ）と周波数（ＦＲＥＱ）が、Target Node-Bで用いられているものに一致するか否かで、以前に接続していたノードか否かを判定する。ここで、以前に接続していたノードの場合には、ステップ５ｃに移行し、一方、以前に接続していないノードの場合には、ステップ５ｅに移行する。
【００３２】
ステップ５ｃにおいて制御部１００は、Source Node-Bへの接続時間ｔが閾値Ｔｓ以下の経過か否かを判定する。ここで、Source Node-Bへの接続時間ｔが閾値Ｔｓ以下の経過の場合には、ステップ５ｄに移行し、一方、Source Node-Bへの接続時間ｔが閾値Ｔｓよりも経過している場合には、ステップ５ｅに移行する。なお、接続時間ｔは、前回以前の処理によって、後述するステップ５ｉにて計測が開始されたものである。
【００３３】
ステップ５ｄにおいて制御部１００は、データの損失の発生の可能性やInter Node-Bハンドオーバの可能性が高いものと見なして、Time to Triggerの値をＮ倍にして、当該処理が開始されてからそれが経過するまでの間に、前述した評価式（ｅ）が成立し続けるかを監視する。そして、Ｎ倍したTime to Triggerの値だけ時間が経過すると、ステップ５ｅに移行する。
【００３４】
ステップ５ｅにおいて制御部１００は、当該処理が開始されてから予め設定されたデフォルトのTime to Triggerが経過するまでの間、前述した評価式（ｅ）が成立し続けるかを監視する。そして、上記Time to Triggerの値だけ時間が経過すると、ステップ５ｆに移行する。
【００３５】
なお、ステップ５ｄおよびステップ５ｅにおいて制御部１００は、ＲＦ受信部１１、ベースバンド復調部１２および復号部２１を制御して、Intra Node-BとInter Node-Bからそれぞれ送信されるＣＰＩＣＨを受信して、Intra Node-BとInter Node-Bの各受信レベルＭを検出する。また記憶部３０に記録しておいたシステム情報から、Intra Node-BとInter Node-Bの各ＣＩＯとＨ１ｄを読み出し、上記監視に用いる。
【００３６】
ステップ５ｆにおいて制御部１００は、当該処理の開始、すなわち評価式（ｅ）の成立から、当該ステップまでの間、評価式（ｅ）が成立し続けたか否かを判定する。ここで評価式（ｅ）が成立し続けた場合には、ステップ５ｇに移行し、一方、評価式（ｅ）が成立し続けなかった場合、すなわち、評価式（ｅ）が成立しない状況があった場合には、当該処理を終了する。
【００３７】
ステップ５ｇにおいて制御部１００は、符号化部２２、ベースバンド変調部１３およびＲＦ送信部１４を制御して、Source Node-Bに宛てたMeasurement Report Messageを送信して、Source Node-Bに対してセルの切り替えを要求して、ステップ５ｈに移行する。
【００３８】
ステップ５ｈにおいて制御部１００は、ＲＦ受信部１１、ベースバンド復調部１２および復号部２１を制御して、Source Node-BからReconfiguration Messageを受信する。そして制御部１００は、上記メッセージからTargetセルＣｔのパラメータを取得し、ステップ５ｉに移行する。なお、上記パラメータには、TargetセルＣｔのセルＩＤやハンドオーバの実施タイミング、ハンドオーバに用いるスクランブリングコードと周波数の識別情報が含まれている。
【００３９】
ステップ５ｉにおいて制御部１００は、ステップ５ｈで取得したパラメータにMac-hsのリセット要求が含まれているか否かを判定する。ここで、上記パラメータにMac-hsのリセット要求が含まれている場合には、Target Node-BをIntra Node-Bと見なして、ステップ５ｊに移行し、一方、パラメータにMac-hsのリセット要求が含まれていない場合には、Target Node-BをInter Node-Bと見なして、ステップ５ｋに移行する。
【００４０】
ステップ５ｊにおいて制御部１００は、ステップ５ｈで取得したTargetセルＣｔのパラメータからTargetセルＣｔのセルＩＤを検出し、このセルＩＤに対応するセルデータＣｔをセルリスト記憶エリア３０ａから検出する。そしてこの検出したセルデータＣｔに、SourceセルＣｓとの接続で用いていたスクランブリングコード（ＳＣＲ）と周波数（ＦＲＥＱ）の識別情報を対応付けて記録する。またこの時点までに計測していたSource Node-Bへの接続時間の計測を終了し、代わりにTarget Node-Bへの接続時間を新たなSource Node-Bへの接続時間として計測を開始し、ステップ５ｋに移行する。
【００４１】
ステップ５ｋにおいて制御部１００は、送受信部１０および信号処理部２０の各部を制御して、所定の手順に従い、ステップ５ｈで取得したパラメータに基づいて、Target Node-Bへのハンドオーバを実施する。そして、Target Node-Bから、Target Node-Bとその近隣の基地局のシステム情報を取得し、これを記憶部３０に記録して、当該処理を終了する。
【００４２】
以上のように、上記構成の移動無線端末装置では、Mac-hsのリセット要求があるハンドオーバ、すなわちInter Node-Bハンドオーバを実行する場合には、TargetセルＣｔのセルＩＤと、SourceセルＣｓとの接続で用いていたスクランブリングコード（ＳＣＲ）と周波数（ＦＲＥＱ）を対応付けて記憶しておくと共に、新たなノードへの接続時間の計測を開始する。
【００４３】
そして、Event１Dが発生した場合に、データの受信中で、Target Node-Bが以前に接続していたノードであり、かつSource Node-Bへの接続時間ｔが閾値Ｔｓ以下であると、データの損失の発生の可能性やInter Node-Bハンドオーバの可能性が高いものと見なして、Time to Triggerの値をＮ倍にして、ハンドオーバの必要性の判定期間を長期化するようにしている。
【００４４】
図６に示す例では、Reporting event 1D（Time to Trigger）のタイミングにおいて、評価式（ｅ）を満たすため、従来では、この時点でハンドオーバを実施する条件が満たされたものと見なされる。これに対して、上記構成の移動無線端末装置では、ステップ５ｄに移行すると、Reporting event 1DのタイミングからTime to Triggerの５倍の判定期間の間、連続して評価式（ｅ）が成立し続けた場合に、ハンドオーバを実施する条件が満たされたものと見なされる。
【００４５】
このため、図６に示す例では、連続して評価式（ｅ）が成立しないため、ハンドオーバは実施されない。その後、図６に示す例では、評価式（ｅ）を満たす状況は続いておらず、仮にReporting event 1Dのタイミングでハンドオーバを実施しても、再びハンドオーバを実施する可能性が高く、ばたつきが生じた虞が高いが、上記構成の移動無線端末装置では、そのような状態に陥ることが防止できる。
【００４６】
すなわち、上記構成の移動無線端末装置によれば、データの受信中や、Target Node-Bが以前に接続していたノードである場合、Source Node-Bへの接続時間ｔが短い場合など、ハンドオーバが頻発する虞がある場合には、ハンドオーバを実施する条件が厳しくなるため、ハンドオーバの頻発を抑制できる。これにより、セルの切り替えに伴うスループット低下を防止できる。
【００４７】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００４８】
その一例として例えば、上記実施の形態では、図５に示したように、ステップ５ａ、５ｂ、５ｃの各条件がすべて満たされる場合に、ステップ５ｄを実行するようにしたが、これに限定されるものではない。すなわち、ステップ５ａ、５ｂ、５ｃのいずれか１つまたが２つの条件が満たされる場合に、ステップ５ｄを実行するようにしてもよい。
【００４９】
また上記実施の形態では、説明を簡明にするために、CIOには０がセットされているものとし、またステップ５ｄにおいて、Time to Triggerの値をＮ倍にして、ハンドオーバの必要性の判定期間を長期化するようにしたが、これに限定されるものではない。ステップ５ｄにおいて、制御部１００が用いる評価式（ｅ）のＣＩＯの値を可変して、ハンドオーバ実施の条件を厳しくするようにしてもよい。
【００５０】
このような処理を行う場合のフローチャートを図７に示す。図７に示す処理は、図５に示した処理とほぼ同様であるが、制御部１００は、ステップ５ｄに代わりステップ７ｄを実施し、ステップ５ｅに代わりステップ７ｅを実施するようにしている点が異なる。また図５に示したフローチャートと同様に、制御部１００は、評価式（ｅ）が満たされた場合に、処理を開始する。以下、上述した図５と異なる点についてのみ説明する。
【００５１】
ステップ７ｄにおいて制御部１００は、評価式（ｅ）に含まれるTargetセルＣｔのＣＩＯ（左辺第２項）の値をＸ［ｄＢ］だけ増加させ、ステップ５ｆに移行する。一方、ステップ７ｅにおいて制御部１００は、評価式（ｅ）の変更は行わず、ステップ５ｆに移行する。
【００５２】
すなわち、ステップ７ｄにおいて制御部１００は、評価式（ｅ）に含まれるTargetセルＣｔのＣＩＯ（右辺第２項）の値を増加させることで、ハンドオーバを実施する条件を厳しくするようにして、ハンドオーバの頻発を抑制できる。これにより、セルの切り替えに伴うスループット低下を防止できる。  
その他、この発明の要旨を逸脱しない範囲で種々の変形を施しても同様に実施可能であることはいうまでもない。
【図面の簡単な説明】
【００５３】
【図１】Intra Node-Bハンドオーバを説明するための図。
【図２】Inter Node-Bハンドオーバを説明するための図。
【図３】この発明に係わる移動無線端末装置の一実施形態の構成を示す回路ブロック図。
【図４】図３に示した記憶部のセルリスト記憶エリアに記憶されるセルデータの一例を示す図。
【図５】図３に示した移動無線端末装置のセル選択に関わる処理を説明するためのフローチャート。
【図６】図５に示した処理によるセル選択の一例を説明するための図。
【図７】図３に示した移動無線端末装置のセル選択に関わる処理を説明するためのフローチャート。
【符号の説明】
【００５４】
１０…送受信部、１１…ＲＦ受信部、１２…ベースバンド復調部、１２ａ…サーチ検出部、１２ｂ…ＲＡＫＥ受信部、１３…ベースバンド変調部、１４…ＲＦ送信部、２０…信号処理部、２１…復号部、２２…符号化部、３０…記憶部、３０ａ…セルリスト記憶エリア、１００…制御部、ＢＳ…基地局。
【図１】
2008042764.tif 000004
【図２】
2008042764.tif 000005
【図３】
2008042764.tif 000006
【図４】
2008042764.tif 000007
【図５】
2008042764.tif 000008
【図６】
2008042764.tif 000009
【図７】
2008042764.tif 000010